(57)【特許請求の範囲】
【請求項１】
所定の補助線画像を表示画像として展開するフレームメモリと、前記フレームメモリに展開された画像データを読出し表示する手段を備える映像表示装置において、
前記補助線画像を表示するための複数の補助線画像データを格納する記憶手段を有し、
前記補助線画像は、ホワイトボードや黒板等の記載設備に投射され、記述支援に活用されるガイド表示であって、
前記補助線画像を背景色と、背景色と輝度または色が異なる画素と、背景色と略同一の輝度または色の画素で構成する点線補助線で構成し、
前記補助線の点線表示領域を一定時間間隔、もしくは、任意の時間間隔で、前記補助線が示す図形の軌道上を、点線表示領域を移動させるようにして同一の投射位置に点線表示を行い、前記補助線画像の残像を低減することを特徴とする映像表示装置。
【請求項２】
請求項１記載の映像表示装置において、補助線の点線表示領域を一定時間間隔、もしくは、任意の時間間隔で、背景色と輝度または色が異なる画素領域を背景色と略同一の輝度または色に変更し、一方、背景色と略同一の輝度または色の画素領域を、背景色と異なる輝度または色に変更し、補助線表示を行うことを特徴とする映像表示装置。
【請求項３】
請求項１記載の映像表示装置において、表示装置を操作するための操作手段、前記操作手段からの入力情報を検出し、入力情報に従い補助線画像の表示色を変更しフレームメモリに展開するフレームメモリ書込み手段、補助線画像の表示色の設定データを格納する記憶手段とを備え、前記操作手段からの入力情報に対し、補助線画像の背景色もしくは輝度レベル、ならびに、補助線の表示色もしくは輝度レベルを調整可能とし、本設定データを前記記憶手段に格納し設定状態を保持することを特徴とする映像表示装置。
【請求項４】
請求項１記載の映像表示装置において、表示装置を操作するための操作手段、前記操作手段からの入力情報を検出し、入力情報に従い補助線画像の補助線間の表示間隔を変更しフレームメモリに展開するフレームメモリ書込み手段、補助線画像の補助線表示間隔の設定データを格納する記憶手段とを備え、前記操作手段からの入力情報に対し、補助線画像の補助線間の間隔を調整可能とし、本設定データを前記記憶手段に格納し設定状態を保持することを特徴とする映像表示装置。
【請求項５】
請求項１記載の映像表示装置において、複数の形状の補助線画像を予め格納している補助線画像記憶手段、表示装置を操作するための操作手段、前記操作手段からの入力情報を検出し、入力情報に従い前記補助線画像記憶手段から選択された補助線画像データを読出しフレームメモリに展開するフレームメモリ書込み手段、補助線画像記憶手段から選択された補助線画像データの選択情報を格納する記憶手段とを備え、前記操作手段からの入力情報に対し、予め記憶されている補助線画像から選択表示可能とし、本選択情報を前記記憶手段に格納し設定状態を保持することを特徴とする映像表示装置。
【請求項６】
請求項５記載の映像表示装置において、補助線画像サイズの拡大や縮小を行う画像変形手段、フレームメモリへの書込み位置を制御して補助線画像の表示位置を制御するフレームメモリ書込み制御手段を備え、前記操作手段からの入力情報に対し、予め記憶されていた補助線画像の大きさ、表示位置を変更し表示可能とし、本選択情報を、前記記憶手段に格納し設定状態を保持することを特徴とする映像表示装置。
【請求項７】
表示映像の光量を調整する調光手段を具備する光源、前記光量の変化に追従し発熱ブロックの冷却を行うことを目的とするFAN、前記FANを駆動するFAN駆動回路を具備した請求項１記載の映像表示装置において、補助線画像表示時に、補助線画像に連動し、表示映像の光量を増加または減少させ、前記FANの回転数を前記光量の変化に追従させて制御することを特徴とする映像表示装置。
【請求項８】
歪補正を表示デバイス上に表示する画像の変形により実現する機能を具備する請求項１記載の映像表示装置において、歪補正を行った場合においても、表示デバイス上に表示する画像において、補助線画像の補助線の点線が結合し実線とならないように補助線を構成する点線の間隔が設定されていることを特徴とする映像表示装置。
【請求項９】
歪補正を表示デバイス上に表示する画像の変形により実現する機能を具備する請求項１記載の映像表示装置において、歪補正量に連動して、表示デバイス上に表示する画像において、補助線画像の補助線の点線が結合し実線とならないように、点線の間隔を調整することを特徴とする映像表示装置。
【請求項１０】
複数の形状の補助線画像データを予め格納している補助線画像記憶手段、補助線を表示するOSD(On Screen Display)回路部、OSD(On Screen Display)回路部から出力された補助線の画像データと表示映像データを重畳する画像合成回路、補助線画像記憶手段から補助線画像データを読出し、前記補助線画像データをOSD回路部に設定し、OSD回路部より所望の補助線画像を表示させるように制御する補助線画像表示制御部、画像を表示する手段を備える映像表示装置であって、
前記補助線画像は、ホワイトボードや黒板等の記載設備に投射され、記述支援に活用されるガイド表示であり、
表示映像に補助線を重畳して表示し、補助線を点線で構成し、前記補助線の点線表示領域を一定時間間隔、もしくは、任意の時間間隔で、前記補助線が示す図形の軌道上を、点線表示領域を移動させるようにして同一の投射位置に点線表示を行い、前記補助線画像の残像を低減することを特徴とする映像表示装置。
【請求項１１】
所定の補助線画像を表示画像として展開するフレームメモリと、
前記フレームメモリに展開された画像データを読出し表示する手段とを備える映像表示装置において、
前記補助線画像を表示するための複数の補助線画像データを格納する記憶手段を有し、
前記補助線画像は、ホワイトボードや黒板等の記載設備に投射され、記述支援に活用されるガイド表示であって、
前記補助線画像を背景色と、
背景色と輝度または色が異なる画素と、
背景色と略同一の輝度または色の画素を有する点線補助線とで構成し、
前記補助線が示す線方向の任意の位置に対して、任意の時間間隔で、前記点線表示領域を表示することで同一の投射位置に点線表示を行い、前記補助線画像の残像を低減することを特徴とする映像表示装置。
【請求項１２】
請求項１１記載の映像表示装置において、
補助線の点線表示領域を一定時間間隔、もしくは、任意の時間間隔で、背景色と輝度または色が異なる画素領域を背景色と略同一の輝度または色に変更し、一方、背景色と略同一の輝度または色の画素領域を、背景色と異なる輝度または色に変更し、補助線表示することを特徴とする映像表示装置。
【請求項１３】
請求項１１記載の映像表示装置において、
表示装置を操作する操作手段と、
前記操作手段からの入力情報を検出し、入力情報に従い補助線画像の表示色を変更しフレームメモリに展開するフレームメモリ書込み手段と、
補助線画像の表示色の設定データを格納する記憶手段とを備え、
前記操作手段からの入力情報に対し、補助線画像の背景色もしくは輝度レベル、または、補助線の表示色もしくは輝度レベルを調整可能とし、本設定データを前記記憶手段に格納し設定状態を保持することを特徴とする映像表示装置。
【請求項１４】
請求項１１記載の映像表示装置において、
表示装置を操作するための操作手段と、
前記操作手段からの入力情報を検出し、入力情報に従い補助線画像の補助線間の表示間隔を変更しフレームメモリに展開するフレームメモリ書込み手段と、
補助線画像の補助線表示間隔の設定データを格納する記憶手段とを備え、
前記操作手段からの入力情報に対し、補助線画像の補助線間の間隔を調整可能とし、本設定データを前記記憶手段に格納し設定状態を保持することを特徴とする映像表示装置。
【請求項１５】
請求項１１記載の映像表示装置において、
複数の形状の補助線画像を予め格納している補助線画像記憶手段と、
表示装置を操作するための操作手段と、
前記操作手段からの入力情報を検出し、入力情報に従い前記補助線画像記憶手段から選択された補助線画像データを読出しフレームメモリに展開するフレームメモリ書込み手段と、
補助線画像記憶手段から選択された補助線画像データの選択情報を格納する記憶手段とを備え、
前記操作手段からの入力情報に対し、予め記憶されている補助線画像から選択表示可能とし、本選択情報を前記記憶手段に格納し設定状態を保持することを特徴とする映像表示装置。
【請求項１６】
請求項１５記載の映像表示装置において、
補助線画像サイズの拡大や縮小を行う画像変形手段と、
フレームメモリへの書込み位置を制御して補助線画像の表示位置を制御するフレームメモリ書込み制御手段とを備え、
前記操作手段からの入力情報に対し、予め記憶されていた補助線画像の大きさ、表示位置を変更し表示可能とし、本選択情報を、前記記憶手段に格納し設定状態を保持することを特徴とする映像表示装置。
【請求項１７】
請求項１１記載の映像表示装置において、
表示映像の光量を調整する調光手段を具備する光源と、
発熱ブロックの冷却を行うFANと、
前記FANを駆動するFAN駆動回路とを備え、
補助線画像表示時に、補助線画像に対応し、表示映像の光量を増加または減少させ、前記FANの回転数を前記光量の変化に対応させて制御することを特徴とする映像表示装置。
【請求項１８】
請求項１１記載の映像表示装置において、
表示デバイス上に表示する画像を変形させて歪補正する歪補正機能を備え、
前記載歪補正機能の実行後、前記補助線の点線が所定の点線の間隔で表示されることを特徴とする映像表示装置。
【請求項１９】
請求項１１記載の映像表示装置において、
表示デバイス上に表示する画像を変形させて歪補正する歪補正機能を備え、
歪補正量に対応して、前記補助線の点線が所定の間隔で表示されることを特徴とする映像表示装置。
【請求項２０】
複数の形状の補助線画像データを予め格納している補助線画像記憶手段と、
補助線を表示するOSD(On Screen Display)回路部と、
OSD(On Screen Display)回路部から出力された補助線の画像データと表示映像データを重畳する画像合成回路と、
補助線画像記憶手段から補助線画像データを読出し、前記補助線画像データをOSD回路部に設定し、OSD回路部より所望の補助線画像を表示させるように制御する補助線画像表示制御部と、
画像を表示する表示手段と
を備える映像表示装置であって、
前記補助線画像は、ホワイトボードや黒板等の記載設備に投射され、記述支援に活用されるガイド表示であり、
表示映像に補助線を重畳して表示し、補助線を点線で構成し、前記補助線が示す線方向の任意の位置に対して、任意の時間間隔で、前記点線表示領域を表示することで同一の投射位置に点線表示を行い、前記補助線画像の残像を低減することを特徴とする映像表示装置。
【発明の詳細な説明】
【技術分野】
【０００１】
本発明は、表示装置を提供する技術に関するものである。
【背景技術】
【０００２】
近年プロジェクタを始めとする投射型映像表示装置は、パーソナルコンピュータの普及ならびにITインフラの整備もあいまって、会議でのプレゼンテーションや教育現場での講義用等、様々な場面で急速に普及している。
【０００３】
一方、普及に伴い、安価となるともに高輝度化が進んでいる。この結果、従来は投射型映像表示装置の表示映像は十分な明るさが得られないため、専用のスクリーンに投射して表示する必要であった。現状、比較的安価に高輝度の投射型映像表示装置を入手できるため、専用のスクリーンに投射しなくとも、十分な明るさが確保でき、ホワイトボードや黒板等の記載設備に投射されて、使用される場合も多くなってきている。
【０００４】
一方、投射される記述設備は、表や文字を記載し、意思伝達を行う重要なツールであるが、記載時の目的が多様のため、表を書きやすくするだとか、文字を横方向もしくは縦方向にあわせて記載する等のガイド表示が十分とはいえない状況である。ホワイトボートにはおいてはマス目状のガイド表示、若しくはガイド印字があり、記述支援に活用されているが、記載時の使用目的が多様のため、十分とはいえない状況である。
【０００５】
そこで、投射型映像表示装置は前記の設備に投射して映像を表示する使用場面が多くなっており、投射型映像表示装置から任意の補助線を表示し、記述支援を行うことができる状況である。当該機能について、特許文献１に開示があるものである。
【０００６】
【特許文献１】特開２００５−２５０３９１号公報
【発明の開示】
【発明が解決しようとする課題】
【０００７】
上記特許文献１については、現状、スクリーンに対する投射映像位置を合わせるための、テストパターン表示のみである。
【０００８】
記述支援を目的とした補助線表示は、表示位置を長時間保持する必要があるが、投射型映像表示装置で使用される液晶デバイスにおいては、背景領域と異なる輝度もしくは色を長時間同じ位置に表示した場合、直流電圧成分が残るため、残像（焼付き）が発生する問題がある。従って、本発明では、この問題に対する解決法を課題とする。
【課題を解決するための手段】
【０００９】
上記課題に対して、本発明では、補助線画像を表示画像として展開するフレームメモリと、前記フレームメモリに展開された画像データを読出し表示する手段を備える表示装置において、前記補助線画像を背景色と、背景色と輝度または色が異なる画素と背景色と略同一の輝度または色の画素で構成する点線補助線で構成するようにする。
【００１０】
前記補助線の点線表示領域を一定時間間隔、もしくは、任意の時間間隔で、前記補助線が示す図形の軌道上を、点線表示領域を移動させるように点線表示を行うことにより、表示デバイスの同一画素を表示することことが低減されるようにして補助線を表示するようにする。
【００１１】
また、補助線の点線表示領域を一定時間間隔、もしくは、任意の時間間隔で、背景色と輝度または色が異なる画素領域を背景色と略同一の輝度または色に変更し、一方、背景色と略同一の輝度または色の画素領域を、背景色と異なる輝度または色に変更し、補助線表示を行うようにする。
【００１２】
また、表示装置を操作するための操作手段、前記操作手段からの入力情報を検出し、入力情報に従い補助線画像の表示色を変更しフレームメモリに展開するフレームメモリ書込み手段、補助線画像の表示色の設定データを格納する記憶手段とを備え、前記操作手段からの入力情報に対し、補助線画像の背景色もしくは輝度レベル、ならびに、補助線の表示色もしくは輝度レベルを調整可能とし、本設定データを前記記憶手段に格納し設定状態を保持するようにする。
【００１３】
また、表示装置を操作するための操作手段、前記操作手段からの入力情報を検出し、入力情報に従い補助線画像の補助線間の表示間隔を変更しフレームメモリに展開するフレームメモリ書込み手段、補助線画像の補助線表示間隔の設定データを格納する記憶手段とを備え、前記操作手段からの入力情報に対し、補助線画像の補助線間の間隔を調整可能とし、本設定データを前記記憶手段に格納し設定状態を保持するようにする。
【００１４】
また、複数の形状の補助線画像を予め格納している補助線画像記憶手段、表示装置を操作するための操作手段、前記操作手段からの入力情報を検出し、入力情報に従い前記補助線画像記憶手段から選択された補助線画像データを読出しフレームメモリに展開するフレームメモリ書込み手段、補助線画像記憶手段から選択された補助線画像データの選択情報を格納する記憶手段とを備え、前記操作手段からの入力情報に対し、予め記憶されている補助線画像から選択表示可能とし、本選択情報を前記記憶手段に格納し設定状態を保持するようにする。
【００１５】
また、補助線画像サイズの拡大や縮小を行う画像変形手段、フレームメモリへの書込み位置を制御して補助線画像の表示位置を制御するフレームメモリ書込み制御手段を備え、前記操作手段からの入力情報に対し、予め記憶されていた補助線画像の大きさ、表示位置を変更し表示可能とし、本選択情報を、前記記憶手段に格納し設定状態を保持するようにする。
【００１６】
また、表示映像の光量を調整する調光手段を具備する光源、前記光量の変化に追従し発熱ブロックの冷却を行うことを目的とするＦＡＮ、前記ＦＡＮを駆動するＦＡＮ駆動回路を具備した表示装置において、補助線画像表示時に、補助線画像に連動し、表示映像の光量を増加または減少させ、前記ＦＡＮの回転数を前記光量の変化に追従させて制御するようにする。
【００１７】
また、歪補正を表示デバイス上に表示する画像の変形により実現する機能を具備する表示装置において、歪補正を行った場合においても、表示デバイス上に表示する画像において、補助線画像の補助線の点線が結合し実線とならないように補助線を構成する点線の間隔が設定されているようにする。
【００１８】
また、歪補正を表示デバイス上に表示する画像の変形により実現する機能を具備する表示装置において、歪補正量に連動して、表示デバイス上に表示する画像において、補助線画像の補助線の点線が結合し実線とならないように、点線の間隔を調整するようにする。
【００１９】
また、複数の形状の補助線画像データを予め格納している補助線画像記憶手段、補助線を表示するＯＳＤ(On  Screen  Display)回路部、ＯＳＤ(On  Screen  Display)回路部から出力された補助線の画像データと表示映像データを重畳する画像合成回路、補助線画像記憶手段から補助線画像データを読出し、前記補助線画像データをＯＳＤ回路部に設定し、ＯＳＤ回路部より所望の補助線画像を表示させるように制御する補助線画像表示制御部、画像を表示する手段を備える表示装置において、表示映像に補助線を重畳して表示し、補助線を点線で構成し、前記補助線の点線表示領域を一定時間間隔、もしくは、任意の時間間隔で、前記補助線が示す図形の軌道上を、点線表示領域を移動させるように点線表示を行うようにする。
【００２０】
更には、所定の補助線画像を表示画像として展開するフレームメモリと、前記フレームメモリに展開された画像データを読出し表示する手段とを備える表示装置において、前記補助線画像を背景色と、背景色と輝度または色が異なる画素と、背景色と略同一の輝度または色の画素を有する点線補助線とで構成し、前記補助線が示す線の任意の位置に対して、任意の時間間隔で、前記点線表示領域を表示することで点線表示するようにする。
【００２１】
また、表示映像の光量を調整する調光手段を具備する光源と、発熱ブロックの冷却を行うＦＡＮと、前記ＦＡＮを駆動するＦＡＮ駆動回路とを備え、補助線画像表示時に、補助線画像に対応し、表示映像の光量を増加または減少させ、前記ＦＡＮの回転数を前記光量の変化に対応させて制御するようにする。
【００２２】
また、表示デバイス上に表示する画像を変形させて歪補正する歪補正機能を備え、
前記載歪補正機能の実行後、前記補助線の点線が所定の点線の間隔で表示されるようにする。
【００２３】
また、表示デバイス上に表示する画像を変形させて歪補正する歪補正機能を備え、
歪補正量に対応して、前記補助線の点線が所定の間隔で表示されるようにする。
【００２４】
また、複数の形状の補助線画像データを予め格納している補助線画像記憶手段と、補助線を表示するＯＳＤ(On  Screen  Display)回路部と、ＯＳＤ(On  Screen  Display)回路部から出力された補助線の画像データと表示映像データを重畳する画像合成回路と、補助線画像記憶手段から補助線画像データを読出し、前記補助線画像データをＯＳＤ回路部に設定し、ＯＳＤ回路部より所望の補助線画像を表示させるように制御する補助線画像表示制御部と、画像を表示する表示手段とを備える表示装置において、表示映像に補助線を重畳して表示し、補助線を点線で構成し、前記補助線が示す線の任意の位置に対して、任意の時間間隔で、前記点線表示領域を表示することで点線表示するようにする。
【発明の効果】
【００２５】
本発明のよれば、従来よりも、表示デバイスの残像（焼付き）を低減し、同位置への補助線の表示を可能とする映像表示装置を提供できる。加えて、従来よりも、特別な回路を追加することなく表示デバイスの残像（焼付き）を低減することができ、安価に実現できる。
【発明を実施するための最良の形態】
【００２６】
以下、本発明の最良の形態について図面を用いて説明する。なお、以下に述べる各図において、共通な機能を有する要素には同一な符号を付して示し、一度説明したものについては、その説明を省略する。
【実施例１】
【００２７】
図１は第１の実施例を示す投射型映像表示装置のブロック図である。図１において、１０１は投射型映像表示装置、１０９は映像信号（図示せず）が入力される入力端子、１１０は入力端子１０９から入力された映像信号に対して所定の信号処理を行う入力信号処理部、１１１は入力信号処理部１１０から出力される映像信号を一旦格納するフレームメモリ、１１２はフレームメモリへの書込み読み出しを制御するメモリ制御部、１１３はフレームメモリから読み出された映像信号に対して、映像の拡大、縮小ならびに幾何学歪補正などのスケーリングを行う画像処理部、１０２は投射型映像表示装置全体の演算制御を行うＣｅｎｔｒａｌ  Ｐｒｏｃｅｓｓｉｎｇ  Ｕｎｉｔ  （以下「ＣＰＵ」と省略する）、１０３はＣＰＵ１０２を制御するプログラムと補助線を表示するための補助線画像データもしくは補助線画像を生成するための処理プログラムを格納するＲＯＭメモリ（Ｆｌａｓｈ  ＲＯＭを含む）（以下「ＲＯＭ」と省略する）、１０４はＣＰＵがプログラムを実行する際に使用される演算結果等を格納するＲＡＭメモリ、１０５は表示する補助線画像の選択情報等を記憶する不揮発性のメモリ（以下「不揮発性メモリ」と省略する）、１１５はＣＰＵからの制御に基づき補助線画像や調整メニュー（図示せず）を生成するＯＳＤ描画部、１１４はＯＳＤ描画部で表示されるメニュー画面、フォント、補助線画像補助線等の画像データが格納されているＯＳＤメモリ、１１６は画像処理部から出力される画像データとＯＳＤ描画部から出力されるＯＳＤ画像を合成する画像合成部、１１７は画像合成部において映像データとＯＳＤ画像を合成した映像データを基に表示素子である液晶パネルを駆動する駆動回路、１２０は映像を表示するための光源であり、偏向変換素子（図示せず）によりランダム偏光を直線偏光に変換し、ダイクロックミラー（図示せず）により赤、緑、青の３色に分離した光を照射する光源であり、光量を調光する機能を具備する光源、１２１は光源より照射された光の透過量を制御する液晶パネル、１２２は液晶パネルを透過した光を合成し生成される映像を拡大して投射する投射レンズブロック、１２３は投射された映像を映すスクリーン、１１９は発熱部品を冷却するためのファン（以下「ＦＡＮ」と省略する）、１１８はＦＡＮ１１９の回転数を制御する冷却制御部、１０８は投射型映像表示装置１０１の筐体上に配設された複数のボタンからなる操作ボタン、１０６は赤外線（Ｉｎｆｒａｒｅｄ）リモートコントロール信号（以下、「ＩＲリモート信号」と省略する）を用いて投射型映像表示装置をリモートコントロールするリモートコントローラー（以下、「リモコン」と省略する）、１０７はリモコン１０６からのＩＲリモート信号を受光するＩＲ受光部である。
【００２８】
図２は、本発明における表示する補助線画像の一例である。図２において、２０１は補助線画像、２０２は補助線画像の構成要素である画像の１画素を示し、２０３は補助線、２０４は補助線を構成する背景色と輝度または色が異なる１画素、２０５は補助線を構成する背景色と輝度または色が同じ１画素である。補助線画像２０１は、補助線２０３を横方向に背景色と輝度または色が異なる画素を２画素、背景色と輝度または色が同じ画素を２画素とを交互に配した横線であり、前記構成の横線５本の補助線を有する補助線画像である。補助線以外の画素は背景画素であり、同じ輝度もしくは色である。
【００２９】
図２（ａ）は、補助線画像を表示しているときの任意の時間における表示画像であり、図２（ｂ）の補助線画像２０６は、図２（ａ）を表示後、一定時間後あるいは任意の時間後に次に表示する補助線画像を示しており、補助線を左方向に１画素移動した画像である。
【００３０】
図３は、駆動回路から液晶パネルに印加される制御電圧のタイミングである。本実施例で使用する液晶パネルは、配向されている液晶群に電圧を掛け、本印加電圧により液晶分子の分子軸を変化させることにより、照射される光の透過量を制御する。そして、液晶物質は劣化を防止するため、一定の周期ごとに電圧を反転させる反転駆動で制御される。
【００３１】
図３(ａ)は、全白表示時の、液晶パネル内の任意の画素に対する印加電圧を示しており、１画面ごとに印加電圧を反転し印加していることを示している。一方、図３(ｂ)は、全黒表示時の、液晶パネル内の任意の画素に対する印加電圧を示しており、１画面ごとに印加電圧を反転し印加していることを示している。
【００３２】
次に、動作について述べる。
【００３３】
ＲＯＭ１０３には予め図２（ａ）の補助線画像、図２（ａ）の補助線を横方向左に１画素移動させた図２（ｂ）の補助線画像、図２（ａ）の補助線を横方向左に２画素移動させた補助線画像（図示せず）、図２（ａ）の補助線を横方向左に３画素移動させた補助線画像（図示せず）の４種類の補助線画像が記憶されている。前記補助線画像データは、液晶パネルの画素数と同じ画素数で構成され、補助線画像の１画素は液晶パネルの１画素に１対１で対応している。
【００３４】
ＣＰＵ１０２は操作ボタン１０８の中の操作されたボタン（図示せず）あるいはＩＲ受光部１０７を介して受信したＩＲリモート信号のそれぞれ応じて対応した処理を行う。補助線表示が対応させている操作ボタンの信号が入力された場合、ＣＰＵ１０２はメモリ制御部１１２を介して、入力信号処理部１１０から出力されている映像信号のフレームメモリ１１１に対する書込みを中止させ、ＣＰＵ１０２からのフレームメモリ１１１に対する書込みを許可させる。
【００３５】
次に、ＣＰＵ１０２は予め記憶されている図２（ａ）の補助線画像データをＲＯＭ１０３から読出し、フレームメモリ１１１に展開し書込みを行う。フレームメモリ１１１に書込まれた補助線画像は画像処理部１１３へ読み出され、画像処理部１１３において液晶パネル１２１の画素数に対応した画像サイズにスケーリングされ、画像合成部１１６を通り、駆動回路１１７に入力される。駆動回路１１７は、入力された画像データに基づき、液晶パネル１２１の各画素に対する印加電圧を図３に示した如く電圧を制御し印加する。本制御により、光源１２０から照射された光は液晶パネル１２１で透過光量が制御され、透過した光が投射レンズブロック１２２を通りスクリーン１２３に照射され、スクリーン１２３に補助線画像が表示される。
【００３６】
フレームメモリ１１１に展開し書込んだ補助線画像が液晶パネル１２１の画素数と同じ大きさなので、補助線画像の１画素は液晶パネル１２１の１画素に１対１で対応しており、背景色と輝度または色が異なる１画素２０４は、液晶パネル１２１の表示領域内の、同一画素位置の液晶セルに写像され、画素２０４の輝度および色に対応した電圧が印加される。
【００３７】
次に、ＣＰＵ１０２は、図２（ａ）の補助線画像２０１を表示した後、タイマー（図示せず）で時間を計測し、一定時間後もしくは任意の時間経過後に、図２（ｂ）の補助線画像２０６のデータをＲＯＭ１０３から読出し、フレームメモリ１１１に展開し書込みを行う。結果、図２（ｂ）の補助線画像２０６がスクリーンに表示され、背景色と輝度または色が異なる１画素２０４は、図２（ａ）の画像表示時に制御されていた液晶パネルの左横側の１セルが画素２０４の輝度および色に対応した電圧で制御されることになり、一方、図２（ａ）の画像表示時に画素２０４に対応して制御されていたセルは画素２０４の右側の画素の輝度および色に対応した電圧が印加され制御されることになる。
【００３８】
上記の如く、４種類の補助線画像を順番に表示することにより、液晶パネル１２１の同一画素に対して、背景色の画素と異なる正負の同レベルの電圧を常に印加しないように制御する。
【００３９】
本制御により、液晶セルの残留直流電圧成分を低減させ、残像（焼付き）を押さえ、補助線を同一位置に表示可能とする。
【００４０】
本実施例では、表示する補助画像を予め画像データとしてＲＯＭ１０３に格納する手段を用い説明したが、表示補助画像を背景の輝度または色、ならびに、補助線の輝度または色、位置座標、間隔に分割したデータと、前記表示補助画像データから表示補助画像を作成するプログラムをＲＯＭ１０３に格納し、ＣＰＵ１０２が前記表示補助画像を作成するプログラムにより、表示補助画像を作成し、フレームメモリ１１１に展開し書込み補助画像を表示してもよい。加えて、各補助線の更新時間を個別に更新するように制御してもよい。
【実施例２】
【００４１】
図４は、本発明における登録補助線画像表示の表示方法を説明する図である。図４において、４０１は補助線画像２０１の補助線２０３の構成要素である背景色と輝度または色が異なる画素２０４の表示色を背景色と輝度または色と同じとし、画素２０５を画素２０４の背景色と輝度または色が異なる表示色にした補助線画像である。
【００４２】
次に、動作について述べる。
【００４３】
ＲＯＭ１０３には予め補助線画像２０１、補助線画像４０１が記憶されている。ＣＰＵ１０２は操作ボタン１０８の中の操作されたボタン（図示せず）あるいはＩＲ受光部１０７を介して受信したＩＲリモート信号にそれぞれ応じて対応した処理を行う。補助線表示を対応させている操作ボタンが入力された場合、ＣＰＵ１０２はメモリ制御部１１２を介して、入力信号処理部１１０から出力されている映像信号のフレームメモリ１１１に対する書込みを中止させ、ＣＰＵ１０２からのフレームメモリ１１１に対する書込みを許可させ、ＣＰＵ１０２は予め記憶されている補助線画像２０１データをＲＯＭ１０３から読出し、フレームメモリ１１１に展開し書込みを行う。
【００４４】
次に、ＣＰＵ１０２は、補助線画像２０１を表示した後、タイマー（図示せず）で時間を計測し、一定時間後もしくは任意の時間経過後に、補助線画像４０１データをＲＯＭ１０３から読出し、フレームメモリ１１１に展開し書込みを行う。
【００４５】
補助線表示中、上記処理を繰返し行うことにより、液晶パネルの同一画素に対して、背景色の画素と異なる正負の同レベルの電圧を常に印加しないように制御し、液晶セルの残留直流電圧成分を低減させ、残像（焼付）を押さえ、補助線を同一位置に表示可能とする。
【実施例３】
【００４６】
図５は、補助線画像の間隔を調整する説明図である。５０２は補助線の間隔を示す。５０１は補助線の間隔を調整した補助線画像、５０３は補助線画像５０１の補助線の間隔を示す。
【００４７】
図６は、補助線画像の背景色を調整する説明図である。６０１は補助線画像２０１の背景色を調整した補助線画像、６０２は表示輝度または色が調整された背景画素の１画素、６０３は背景画素の輝度または色の調整に連動し背景画素と表示輝度または色が略同一である補助線２０３の構成要素である背景色と輝度または色が同じ画素を示す。
【００４８】
第３の実施例を、図１を用い説明する。
【００４９】
ＣＰＵ１０２は、補助線画像内の補助線の間隔、補助線画像内の背景の輝度あるいは色、補助線の輝度あるいは色を調整する操作に対応した信号を操作ボタン１０８の中の操作されたボタン（図示せず）あるいはＩＲ受光部１０７を介して受信した場合、前記項目を調整する調整メニュー（図示せず）をＯＳＤ描画部１１５から出力させ、画像合成部１１６にて、フレームメモリ１１１から読み出され画像処理部１１３にて処理された補助線画像と合成し表示する。ユーザーは前記調整メニューにて、操作ボタン１０８あるいはリモコン１０６を操作し、前記調整項目を調整する。ＣＰＵ１０２は、前記ユーザーの操作の入力を検出し、補助線の間隔の調整であれば、例えば、補助線間隔５０２を補助線間隔５０３に調整を検出した場合、補助線画像２０１を補助線画像５０１に変形し、フレームメモリ１１１に展開し書込みを行う。また、補助線画像内の背景の輝度あるいは色の調整であれば、補助線画像２０１の背景に対応する画素のデータを変更し、補助線画像６０１が表示されるようにフレームメモリ１１１に展開し書込みを行う。表示した補助線画像を確認しながらユーザーは調整できるため、ユーザーは容易に意図する補助線画像を調整することが出来る。そして、調整完了後、ＣＰＵ１０２は調整データを不揮発メモリ１０５に調整データを格納し、調整以降、補助線画像を表示する際に、ＣＰＵ１０２は予め記憶されている補助線画像データをＲＯＭ１０３から読出し、
前記調整データを不揮発メモリ１０５から読出し、本調整データを基に補助線画像を変形あるいは表示輝度または色を変更しフレームメモリ１１１に展開し表示させるようにする。
【実施例４】
【００５０】
図７は、予めＲＯＭ１０３に記憶させている複数の補助線画像の例を示す。７０１は格子補助線画像、７０２は格子間隔が広い格子補助線画像、７０３は５本線の補助線が一対である５線補助線である。
【００５１】
第４の実施例を、図１を用い説明する。
【００５２】
予めＲＯＭ１０３に複数の補助線画像データを記憶させておき、ＣＰＵ１０２が、表示する補助線画像を選択する操作に対応した信号を操作ボタン１０８の中の操作されたボタン（図示せず）あるいはＩＲ受光部１０７を介して受信した場合、予めＲＯＭ１０３に記憶させている複数の補助線画像を選択する選択メニュー（図示せず）をＯＳＤ描画部１１５から出力させ、画像合成部１１６にてフレームメモリ１１１から読み出され画像処理部１１３にて処理された表示画像と合成し表示される。ユーザーは前記選択メニューにて、操作ボタン１０８あるいはリモコン１０６を操作し、表示する補助線画像を選択する。ＣＰＵ１０２は、前記ユーザーの操作の入力を検出し、表示する補助線画像データをＲＯＭ１０３から読出し、フレームメモリ１１１に展開し書込みを行い、補助線画像を表示する。また、ＣＰＵ１０２は選択された補助線画像データに一意に割当てられている補助線画像識別データを、不揮発メモリ１０５に格納し、選択以降、補助線画像を表示する際に、ＣＰＵ１０２は前記補助線識別データを不揮発メモリ１０５から読出し、前記補助線識別データに対応する補助線画像データをＲＯＭ１０３に記憶させている複数の補助線画像データから選択し表示させる。
【実施例５】
【００５３】
図８は、補助線画像の表示サイズ、位置を調整する操作の説明図である。
【００５４】
第５の実施例を、図１を用い説明する。
予めＲＯＭ１０３に複数の補助線画像データを記憶させておき、ＣＰＵ１０２が、表示する補助線画像を表示する操作に対応した信号を操作ボタン１０８の中の操作されたボタン（図示せず）あるいはＩＲ受光部１０７を介して受信した場合、不揮発メモリ１０５から表示する補助線画像８０１の補助線識別データを読出し、対応する補助線画像８０１をＲＯＭ１０３から読出し表示する。続いて、ユーザーは、表示補助線画像の大きさあるいは位置を調整する操作に対応した信号を操作ボタン１０８の中の操作されたボタン（図示せず）あるいはリモコン１０６にて送信する。ＣＰＵ１０２は、本信号を検出し、表示補助線画像の大きさあるいは位置を調整する調整メニュー（図示せず）をＯＳＤ描画部１１５から出力させ表示する。ユーザーは前記調整メニューにて表示補助線画像の大きさあるいは位置を調整する。表示補助線画像８０１の大きさの調整は、ＣＰＵ１０２にて補助線画像の大きさを表示補助線画像８０２に変形し、フレームメモリ１１１に展開する。一方、表示補助線画像８０１画像データの位置を変更する場合は、ＣＰＵ１０２は、表示画像位置が移動した補助線画像８０３が表示されるようにフレームメモリ１１１へデータ書込み位置を変更し、書込みを行うようにする。また、ＣＰＵ１０２は調整された大きさあるいは位置の調整データを、不揮発メモリ１０５に格納し、前記補助線画像８０１を表示する際に、ＣＰＵ１０２は前記補助線画像の大きさあるいは位置のデータを不揮発メモリ１０５から読出し、前記補助線画像の大きさあるいは位置のデータを用い、調整されている大きさに変形するとともに、表示される補助線画像のフレームメモリ１１１の書込み開始位置を決定し、変形した補助線画像データを前記書込み開始位置から書込みを行う。
【実施例６】
【００５５】
第６の実施例を、図１を用い説明する。
ＣＰＵ１０２は、補助線画像表示操作に対応した信号を操作ボタン１０８の中の操作されたボタン（図示せず）あるいはリモコン１０６からＩＲ受光部１０７を介して受信した場合、ＣＰＵ１０２は、不揮発メモリ１０５から補助線識別データを読出し、前記補助線識別データに対応する補助線画像データをＲＯＭ１０３に記憶させている複数の補助線画像データから選択し、前記補助線画像データをＲＯＭ１０３から読出し、フレームメモリ１１１に書込みを行う。加えて、ＣＰＵ１０２は光源１２０に対して、光源の光量を低減するように光量調整信号を出力し、光源１２０から照射される光量に応じて発熱する発熱部位を冷却する目的のＦＡＮ１１９を低減した光量に対するＦＡＮ回転数となるように冷却制御部１１８を介し、前記ＦＡＮ１１９の回転数を低速とする。光量が低減することにより発熱部位の発熱量は少なくなるため、発熱部位を冷却する目的のＦＡＮの風量は少なくすむため、回転数を低速とできるのは自明である。本制御により、ＦＡＮの騒音を低減するとともにまぶしさを軽減する。
【実施例７】
【００５６】
図９は垂直に立てられたスクリーンに投射型表示装置を斜め上向きにして投射しときの投射画像である。９０１は台形補正を行っていない投射画像、９０２は台形補正を行った投射画像である。
【００５７】
図１０は、液晶パネル上の補助線画像を示す。１００１は台形補正を行っていない場合の液晶パネル上の補助線画像、１００２は台形補正を行った場合の液晶パネル上の補助線画像である。
【００５８】
図１１は、台形補正量を考慮し、補助線が実線とならないように補助線を表示した場合の液晶パネル上の補助線画像である。
【００５９】
第７の実施例を、図１を用い説明する。
【００６０】
投射型表示装置の投射画像は、投射型表示装置の投射レンズブロック１２２内の投射レンズ（図示せず）の光軸のスクリーン１２３に対する傾き角度により、台形歪が発生する。例えば、垂直に立てられたスクリーンに投射型表示装置を斜め上向きにして投射した場合、投射画像９０１の台形歪を持つ画像となる。この為、この台形歪を液晶パネル上で投射画像９０２に変形する台形歪補正機能を具備するものが一般的である。前記台形歪を液晶パネル１２１上で補正するためには、画像処理部１１３にて、前記台形歪を逆補正するように画像変形し、液晶パネル１２１上に表示することで実現される。
【００６１】
補助線画像はフレームメモリ１１１に展開し書込まれ表示するため、前記、台形歪補正が行われた場合、画像処理部１１３にて、前記台形歪を逆補正するように画像変形される。フレームメモリ１１１に書込まれた補助線画像の補助線の点線間隔が狭い場合、液晶パネル１２１上の補助線が実線となることが容易に予想される。この場合、背景色の画素と異なる正負の同レベルの電圧が常に同一画素に印加されることになるため、残像（焼付き）が発生することになる。
【００６２】
前記課題を解決するため、台形歪補正量を考慮し、台形歪補正においても補助線の点線間隔が実線とならない間隔で補助線画像の補助線を作成する。もしくは、台形歪補正量に応じ、補助線の各点線の液晶パネル１２１上での対応位置を計算で算出し、点線が結合しないように点線の間隔を決定し、補助線画像データをフレームメモリ１１１に書込みを行い、台形歪補正時においても、液晶パネル１２１上において、背景色の画素と異なる正負の同レベルの電圧が常に同一画素に印加されることを防止するようにする。
【実施例８】
【００６３】
第８の実施例を、図１を用い説明する。
【００６４】
補助線画像データをＯＳＤメモリ１１４に格納し、ＣＰＵ１０２は補助線表示時にＯＳＤ描画部１１５に対し、予めＯＳＤメモリ１１４に格納されている補助線データから補助線を表示するよう指示し、ＯＳＤ描画部１１５は、指定された補助線をＯＳＤメモリ１１４から読出し、補助線画像を描画し、画像合成部１１６にて、入力映像と合成し表示する。台形歪補正を具備する投射型表示装置では画像合成部１１６を画像処理部内の台形歪補正部（図示せず）の前に配置し、入力画像とＯＳＤ描画部１１５の出力画像を合成したのち、台形歪補正処理が行われるようにしてもよい。
【図面の簡単な説明】
【００６５】
【図１】投射型映像表示装置のブロック図を示す
【図２】補助線画像を示す図である
【図３】液晶パネルの駆動制御を説明する図である
【図４】登録補助線画像表示の表示方法を説明する図である
【図５】補助線画像の間隔を調整する説明図である
【図６】補助線画像の背景色を調整する説明図である
【図７】予めＲＯＭに記憶させている複数の補助線画像の例を示す図である
【図８】補助線画像の表示サイズ、位置を調整する操作の説明図である
【図９】垂直に立てられたスクリーンに投射型表示装置を斜め上向きにして投射したときの投射画像
【図１０】液晶パネル上の補助線画像を示す
【図１１】台形補正量を考慮し、補助線が実線とならないように補助線を表示した場合の液晶パネル上の補助線画像を示す
【符号の説明】
【００６６】
１０１  投射型映像表示装置
１０２  ＣＰＵ
１０３  ＲＯＭメモリ
１０４    ＲＡＭメモリ
１０５  不揮発性メモリ
１０６  リモコン
１０７  ＩＲ受光部
１０８  操作ボタン
１０９  入力端子
１１０  入力信号処理部
１１１  フレームメモリ
１１２  メモリ制御部
１１３  画像処理部
１１４  ＯＳＤメモリ
１１５  ＯＳＤ描画部
１１６  画像合成部
１１７  駆動回路
１１８  冷却制御部
１１９  ＦＡＮ
１２０  光源
１２１  液晶パネル
１２２  投射レンズブロック
１２３  スクリーン
２０１  補助線画像
２０２  補助線画像の構成要素である画像の１画素
２０３  補助線
２０４  補助線を構成する背景色と輝度または色が異なる１画素
２０５  補助線を構成する背景色と輝度または色が同じ１画素
２０６  補助線画像
４０１  補助線画像
４０２  補助線を構成する背景色と輝度または色が同じ画素
４０３  補助線を構成する背景色と輝度または色が異なる画素
５０１  補助線間隔を調整した補助線画像
５０２  補助線の間隔
５０３  調整後の補助線の間隔
６０１  補助線画像の背景の輝度あるいは色を調整した補助線画像
６０２  補助線画像の背景画素
６０３  補助線画像の背景画素と同じ輝度あるいは色の補助線画素
７０１  格子補助線画像
７０２  格子間隔が広い格子補助線画像
７０３  ５本線の補助線が一対である５線補助線画像
８０１  補助線画像
８０２  補助線画像の大きさを変更した補助線画像
８０３  補助線画像の位置を変更した補助線画像
９０１  垂直に立てられたスクリーンに投射型表示装置を斜め上向きにして投射したときの投射画像
９０２  台形補正を行った投射画像
１００１  台形補正を行っていない場合の液晶パネル上の補助線画像
１００２  台形補正を行った場合の液晶パネル上の補助線画像
１１０１  台形補正量を考慮した補助線を表示した場合の液晶パネル上の補助線画像
【図１】
0005577023.tif 000002
【図２】
0005577023.tif 000003
【図３】
0005577023.tif 000004
【図４】
0005577023.tif 000005
【図５】
0005577023.tif 000006
【図６】
0005577023.tif 000007
【図７】
0005577023.tif 000008
【図８】
0005577023.tif 000009
【図９】
0005577023.tif 000010
【図１０】
0005577023.tif 000011
【図１１】
0005577023.tif 000012